(57)【要約】      （修正有）【課題】洗濯運転に係る運転情報の設定を一方向の無線通信により行う洗濯機において、運転情報の受信不備に起因してユーザが所望しない洗濯運転が行われてしまうことを防止する。【解決手段】全自動洗濯機１は、第１制御部６６と、受信部６８と、上面板に設けられる本体表示部ＤＰと、本体表示部ＤＰと離れたリモートコントローラ１００を備える。リモートコントローラ１００は、洗濯運転に係る運転情報を設定するための設定キー１２０と、第２制御部１６０と、情報表示部１４０と、送信部１８０とを含む。第２制御部１６０は、設定キー１２０により設定された運転情報を、情報表示部１４０に表示させるとともに送信部１８０に無線通信により受信部６８へ送信させる。第１制御部６６は、運転情報が受信されると、洗濯運転が開始されるまで、運転情報の受信に対応する色、たとえば青色で本体表示部のモード表示部６５を点灯させる。【選択図】図１２
2015136373.tif 000002
【特許請求の範囲】
【請求項１】
洗濯物の洗濯を行うための洗濯槽と、
前記洗濯槽を収容する筐体と、
前記筐体の投入口を有する面に設けられる第１表示部と、
第１制御部と、
受信部と、
前記第１表示部と離れた設定操作部と、を備え、
前記設定操作部は、洗濯運転に係る運転情報を設定するための設定キーと、第２制御部と、第２表示部と、送信部とを含み、
前記第２制御部は、前記設定キーにより設定された前記運転情報を、前記第２表示部に表示させるとともに前記送信部に無線通信により前記受信部へ送信させ、
前記第１制御部は、前記受信部により受信された前記運転情報に基づいて洗濯運転を実行するとともに、前記受信部により前記運転情報が受信されると、少なくとも洗濯運転が開始されるまでの所定の期間において、前記運転情報の受信に対応する第１の形態で前記第１表示部を点灯させる、
ことを特徴とする洗濯機。
【請求項２】
請求項１に記載の洗濯機において、
前記投入口を有する面には、洗濯運転を開始させるためのスタートキーが設けられ、
前記運転情報は、標準コース含む複数の運転コースを含み、
前記第１制御部は、前記スタートキーに対して洗濯運転の開始とは異なる所定の操作が行われると、当該操作の前に前記受信部により受信された運転コースに代えて、前記標準コースを、実行すべき運転コースに設定する、
ことを特徴とする洗濯機。
【請求項３】
請求項２に記載の洗濯機において、
前記第１制御部は、前記所定の操作に基づいて前記標準コースを前記実行すべき運転コースに設定すると、前記第１の形態とは異なる第２の形態で前記第１表示部を点灯させる、
ことを特徴とする洗濯機。
【請求項４】
請求項１ないし３の何れか一項に記載の洗濯機において、
前記設定操作部は、確認キーと、前記運転情報が記憶される運転情報記憶部と、を備え、
前記第２制御部は、前記送信部により送信された前記運転情報を前記運転情報記憶部に記憶させ、前記確認キーが操作されると、前記運転情報記憶部に記憶された前記運転情報を読み出し、読み出した前記運転情報を前記第２表示部に表示させる、
ことを特徴とする洗濯機。
【請求項５】
請求項１ないし４の何れか一項に記載の洗濯機において、
前記設定操作部は、リモートコントローラであり、
前記リモートコントローラには磁石が設けられ、
前記筐体の少なくとも一部が磁性体により形成される、
ことを特徴とする洗濯機。
【請求項６】
請求項１ないし５の何れか一項に記載の洗濯機において、
前記洗濯槽は、上面に開口部を有し、
前記投入口は、前記筐体の上面に形成され、
前記投入口の少なくとも前部は、前記開口部より大きく開口し、
前記第１表示部は、前記筐体の上面における前側の一つの角部に設けられる、
ことを特徴とする洗濯機。
【発明の詳細な説明】
【技術分野】
【０００１】
本発明は、洗濯機に関する。
【背景技術】
【０００２】
従来、洗濯機では、筐体上面に投入口が形成され、この投入口に隣接するように操作部が設けられる。操作部には、電源キーおよびスタートキーの他、洗濯運転に係る運転情報を設定するための複数の設定キー、および、設定された運転情報が表示される情報表示部等が配される。洗濯運転に係る運転情報は、標準コース、自分流コース、いそぎコース等の運転コースや、洗い時間、すすぎ回数、脱水時間等の運転条件である。
【０００３】
操作部は、上記のように、多くのキーおよび情報表示部を有するため、筐体上面において比較的大きな領域を占める。このため、従来の洗濯機では、洗濯槽の開口部に対して投入口を十分に大きくすることが難しい。
【０００４】
そこで、操作部を小さくするために、洗濯機において、少なくとも設定キーおよび情報表示部を、操作部から分離してリモートコントローラに配し、リモートコントローラから操作部へ無線により運転情報を送信する構成が採られ得る（特許文献１参照）。
【先行技術文献】
【特許文献】
【０００５】
【特許文献１】特開２００９−２２６０６０号公報
【発明の概要】
【発明が解決しようとする課題】
【０００６】
無線による通信方式として、双方向および一方向の通信方式を採ることができる。一方向の通信方式を採用した場合、通信のための構成を単純なものとすることができ、また、コストおよび電力消費を小さくすることができる。
【０００７】
しかしながら、一方向の通信方式を採用した場合、本体側の操作部からリモートコントローラへの送信が行えない。このため、ユーザは、リモートコントローラから運転情報の送信を行ったときに、送信された運転情報が操作部で受信され、これに基づき操作部で運転情報の更新が行われたか否かをリモートコントローラ側で確認することができない。よって、無線信号が届かなかった場合など、何らかの要因により、送信された運転情報が操作部に受信されずに、前回の運転情報のままで洗濯運転が開始されてしまうと、ユーザが所望した通りの洗濯を行うことができない虞がある。
【０００８】
本発明は、このような課題に鑑みてなされたものであり、運転コース、運転条件等の洗濯運転に係る運転情報の設定を一方向の無線通信により行うように洗濯機を構成する場合に、運転情報の受信不備に起因してユーザが所望しない洗濯運転が行われてしまうことを防止できる洗濯機を提供することを目的とする。
【課題を解決するための手段】
【０００９】
本発明の主たる態様に係る洗濯機は、洗濯物の洗濯を行うための洗濯槽と、前記洗濯槽を収容する筐体と、前記筐体の投入口を有する面に設けられる第１表示部と、第１制御部と、受信部と、前記第１表示部と離れた設定操作部と、を備える。ここで、前記設定操作部は、洗濯運転に係る運転情報を設定するための設定キーと、第２制御部と、第２表示部と、送信部とを含む。前記第２制御部は、前記設定キーにより設定された前記運転情報を、前記第２表示部に表示させるとともに前記送信部に無線通信により前記受信部へ送信させる。前記第１制御部は、前記受信部により受信された前記運転情報に基づいて洗濯運転を実行するとともに、前記受信部により前記運転情報が受信されると、少なくとも洗濯運転が開始されるまでの所定の期間において、前記運転情報の受信に対応する第１の形態で前記第１表示部を点灯させる。
【００１０】
上記の構成によれば、設定操作部で設定された運転情報が受信部に受信されると、第１表示部が、少なくとも洗濯運転が開始される所定の期間において、運転情報の受信に対応する第１の形態、たとえば、受信に対応する色で点灯する。これにより、ユーザは、設定した運転情報が受信部で受け付けられたことを確認でき、運転情報が受け付けられていないときには、運転情報の再設定を行った上で洗濯運転を開始できる。よって、ユーザが所望しない洗濯運転が行われてしまうことを防止できる。
【００１１】
本態様に係る洗濯機は、前記投入口を有する面に、洗濯運転を開始させるためのスタートキーが設けられる構成とされ得る。また、前記運転情報は、標準コース含む複数の運転コースを含み得る。この場合、前記第１制御部は、前記スタートキーに対して洗濯運転の開始とは異なる所定の操作が行われると、当該操作の前に前記受信部により受信された運転コースに代えて、前記標準コースを、実行すべき運転コースに設定する構成とされ得る。
【００１２】
上記の構成によれば、最も使用頻度が高い標準コースについては、設定操作部だけでなくスタートキーでも設定を行うことができるので、ユーザの使い勝手を良くすることができる。
【００１３】
上記の構成とされた場合、さらに、前記第１制御部は、前記所定の操作に基づいて前記標準コースを前記実行すべき運転コースに設定すると、前記第１の形態とは異なる第２の形態で前記第１表示部を点灯させる構成とされ得る。
【００１４】
このような構成とされれば、ユーザは、所定の操作が受け付けられて、運転コースが標準コースに設定されたことを確認することができる。
【００１５】
さらに、本態様に係る洗濯機において、前記設定操作部は、確認キーと、前記運転情報が記憶される運転情報記憶部と、を備える構成とされ得る。この場合、前記第２制御部は、前記送信部により送信された前記運転情報を前記運転情報記憶部に記憶させ、前記確認キーが操作されると、前記運転情報記憶部に記憶された前記運転情報を読み出し、読み出した前記運転情報を前記第２表示部に表示させる構成とされ得る。
【００１６】
上記の構成によれば、ユーザは、確認キーを操作することにより、設定操作部により設定された運転情報を確認することができる。
【００１７】
さらに、本態様に係る洗濯機において、前記設定操作部は、リモートコントローラとされ得る。この場合、さらに、本態様に係る洗濯機は、前記リモートコントローラには磁石が設けられ、前記筐体の少なくとも一部が磁性体により形成される構成とされ得る。
【００１８】
上記の構成によれば、ユーザは、リモートコントローラを容易に洗濯機本体に装着することができる。
【００１９】
さらに、本態様に係る洗濯機は、前記洗濯槽が、上面に開口部を有し、前記投入口が、前記筐体の上面に形成され、前記投入口の少なくとも前部が、前記開口部より大きく開口し、前記第１表示部が、前記筐体の上面における前側の一つの角部に設けられる構成とされ得る。
【００２０】
上記の構成によれば、投入口の少なくとも前部が洗濯槽の開口部より大きいので、ユーザは、洗濯機の前方からの洗濯槽への洗濯物の出し入れが行いやすくなる。さらに、第１表示部が、筐体上面の中の広いスペースを有する角部に設けられるので、第１表示部を大きくすることが可能となる。
【発明の効果】
【００２１】
本発明によれば、洗濯機が、洗濯運転に係る運転情報の設定を一方向の無線通信により行うような構成とされる場合に、運転情報の受信不備に起因してユーザが所望しない洗濯運転が行われてしまうことを防止できる。
【００２２】
本発明の効果ないし意義は、以下に示す実施形態の説明によりさらに明らかとなろう。ただし、以下の実施形態は、あくまでも、本発明を実施化する際の一つの例示であって、本発明は、以下の実施形態に記載されたものに何ら制限されるものではない。
【図面の簡単な説明】
【００２３】
【図１】実施の形態に係る、全自動洗濯機の外観を示す正面図である。
【図２】実施の形態に係る、全自動洗濯機の内部構成を示す側面断面図である。
【図３】実施の形態に係る、上蓋が開放された全自動洗濯機の平面図である。
【図４】実施の形態に係る、本体操作部の構成を示す、上面板の要部拡大図である。
【図５】実施の形態に係る、全自動洗濯機の構成を示すブロック図である。
【図６】実施の形態に係る、運転条件記憶部に記憶された運転条件の一例を示す図である。
【図７】実施の形態に係る、リモートコントローラの構成を示す、正面図、右側面図および背面図である。
【図８】実施の形態に係る、リモートコントローラの構成を示すブロック図である。
【図９】実施の形態に係る、設定候補記憶部、送信情報記憶部および最新情報記憶部に記憶される運転情報の一例を示す図である。
【図１０】実施の形態に係る、メイン制御処理を示すフローチャートである。
【図１１】実施の形態に係る、メイン制御処理を示すフローチャートである。
【図１２】実施の形態に係る、運転モードに応じてモード表示部が点灯する様子を示す図である。
【図１３】実施の形態に係る、設定送信処理を示すフローチャートである。
【図１４】実施の形態に係る、設定送信処理を示すフローチャートである。
【図１５】実施の形態に係る、設定された運転情報が情報表示部に表示される様子を示す図である。
【図１６】実施の形態に係る、運転条件の設定ができないことを表すメッセージが表示された情報表示部、および、送信マークが表示された情報表示部を示す図である。
【図１７】実施の形態に係る、運転情報表示処理を示すフローチャートである。
【図１８】実施の形態に係る、運転コースの詳細内容が情報表示部に表示されるときの表示形態の一例を示す図である。
【図１９】変更例に係る、運転モードに応じて残時間部が点灯する様子を示す図である。
【発明を実施するための形態】
【００２４】
以下、本発明の洗濯機の一実施形態である全自動洗濯機について、図面を参照して説明する。
【００２５】
図１は、全自動洗濯機１の外観を示す正面図である。図２は、全自動洗濯機１の内部構成を示す側面断面図である。
【００２６】
全自動洗濯機１は、外観を構成する筐体１０を備える。筐体１０は、上下の面が開放された方形筒状の胴体部１１と、胴体部１１の上面を覆う上面板１２と、胴体部１１を支持する脚台１３とを含む。上面板１２には、洗濯物の投入口１４が形成される。投入口１４は、開閉自在な上蓋１５により覆われる。
【００２７】
筐体１０内には、外槽２０が、防振装置を有する４本の吊棒２１により弾性的に吊り下げ支持される。外槽２０内には、洗濯脱水槽２２が配される。洗濯脱水槽２２には、周面に脱水孔２２ａが多数形成され、上部にバランスリング２３が設けられる。バランスリング２３の内面は、洗濯脱水槽２２の内面より内側に張り出すため、バランスリング２３の内側が、洗濯脱水槽２２の上面の開口部２２ｂとなる。外槽２０の底部には、パルセータ２４が配される。
【００２８】
外槽２０の外底部には、洗濯脱水槽２２およびパルセータ２４を駆動するための駆動ユニット３０が配される。駆動ユニット３０は、駆動モータ３１と、伝達機構３２とを含む。伝達機構３２は、クラッチ機構を有し、当該クラッチ機構による切替操作により、洗い工程およびすすぎ工程では、駆動モータ３１の駆動力をパルセータ２４のみに伝達してパルセータ２４のみを回転させ、脱水工程では、駆動モータ３１の駆動力をパルセータ２４および洗濯脱水槽２２に伝達してパルセータ２４および洗濯脱水槽２２を一体的に回転させる。また、伝達機構３２は、減速機構を有する。洗い工程およびすすぎ工程では、駆動モータ３１の回転数が減速機構の減速比に従って低くされた回転数でパルセータ２４が回転する。
【００２９】
外槽２０の外底部には、さらに、洗濯脱水槽２２および外槽２０から排水を行うための排水ユニット４０が配される。排水ユニット４０は、排水管４１および排水弁４２を備え、図示しない排水ホースに接続される。排水弁４２が開放されると、洗濯脱水槽２２および外槽２０に溜められた水が排水管４１および排水ホースを通じて機外へ排出される。
【００３０】
上面板１２の後部には、水道水を洗濯脱水槽２２内に供給するための給水ユニット５０が配される。給水ユニット５０は、水道栓に接続された給水弁５１を含む。給水弁５１が開放されると、水道水が給水ユニット５０へ導入され、給水ユニット５０の注水口５２から洗濯脱水槽２２内へ流出する。
【００３１】
図３は、上蓋１５が開放された全自動洗濯機１の平面図である。図４は、本体操作部６０の構成を示す、上面板１２の要部拡大図である。
【００３２】
上面板１２において、投入口１４は、後部の直線状の部分を除いて円形状に形成される。投入口１４の内径は、洗濯脱水槽２２の開口部２２ｂの内径より大きくされる。即ち、投入口１４は、その後部を除く部分が、開口部２２ｂよりも大きく開口する。
【００３３】
上面板１２の右前角部には、本体操作部６０が設けられる。図４に示すように、本体操作部６０は、電源キー６１と、スタートキー６２と、残時間表示部６３、ドアロック表示部６４およびモード表示部６５からなる本体表示部ＤＰと、を含む。電源キー６１は、全自動洗濯機１本体への電源の投入および切断を行うためキーである。スタートキー６２は、洗濯運転を開始させるためのキーである。残時間表示部６３は、３つの７セグメントＬＥＤを含み、これらセグメントＬＥＤにより、洗濯運転の残り時間を表示する。ドアロック表示部６４は、ＬＥＤを含み、上蓋１５がロックされた状態にあるときに点灯する。モード表示部６５は、複数の色の発光が可能な環状の光電管を含み、運転モードに応じた色で点灯する。
【００３４】
図５は、全自動洗濯機１の構成を示すブロック図である。
【００３５】
本体操作部６０は、電源キー６１、スタートキー６２、残時間表示部６３、ドアロック表示部６４、モード表示部６５に加え、第１制御部６６と、第１記憶部６７と、受信部６８を含む。
【００３６】
また、給水ユニット５０は、風呂水ポンプ５３を含む。風呂水ポンプ５３には、図示しない風呂水ホースが接続される。残り湯が溜められた浴槽の中に風呂水ホースの吸水口部が入れられた状態で風呂水ポンプ５３が作動すると、風呂水が吸い上げられ、吸い上げられた風呂水が給水ユニット５０の注水口５２から洗濯脱水槽２２内に供給される。
【００３７】
さらに、全自動洗濯機１には、洗濯脱水槽２２内の水位を検出する水位センサー７１、閉鎖された上蓋１５をロックするドアロック装置７２、および、洗濯運転の終了を示す終了音、異常の発生を示す異常報知音等を出力するブザー７３が設けられる。
【００３８】
第１記憶部６７は、ＥＥＰＲＯＭ、ＲＡＭ等を含む。第１記憶部６７は、運転プログラム記憶部６７ａと、運転条件記憶部６７ｂと、一時記憶部６７ｃと、コースフラグ６７ｄを備える。運転プログラム記憶部６７ａ、運転条件記憶部６７ｂおよびコースフラグ６７ｄは、ＥＥＰＲＯＭに備えられ、一時記憶部６７ｃは、ＲＡＭに備えられる。
【００３９】
運転プログラム記憶部６７ａには、全自動洗濯機１が実行可能な、標準コース、自分流コース、いそぎコース、ドライコース、毛布コースおよび槽洗浄コースの各運転コースの運転プログラムが記憶される。標準コースは、普段の洗濯に用いられる運転コースである。自分流コースは、ユーザが設定した各運転条件で洗濯運転を行う運転コースであり、設定された値は記憶され、次回の自分流コースの洗濯運転においても同じ運転条件が用いられる。いそぎコースは、手早く洗濯を行う際に用いられる運転コースである。ドライコースは、デリケートな衣類の洗濯に用いられる運転コースである。毛布コースは、毛布の洗濯に用いられる運転コースである。槽洗浄コースは、洗濯脱水槽２２の洗浄に用いられる運転コースである。
【００４０】
運転条件記憶部６７ｂには、運転コース毎に、水位、洗い時間、すすぎ回数、脱水時間の各運転条件が記憶される。図６に、運転条件記憶部６７ｂに記憶された運転条件の一例を示す。標準コースでは、各運転条件が標準的な値に設定される。自分流コースでは、初期値として、各運転条件に標準コースと同じ値が設定されるが、各運転条件は、ユーザにより新たな設定が行われる度に新たな値に更新される。いそぎコースでは、運転時間が短くなるように各運転条件が設定される。ドライコースでは、各運転条件が、デリケートな衣類の洗濯に適した値に設定される。毛布コースでは、各運転条件が、毛布の洗濯に適した値に設定される。槽洗浄コースでは、各運転条件が、洗濯脱水槽２２の洗浄に適した値に設定される。なお、標準コースおよび自分流コースのように、水位が「自動」に設定される場合、洗濯運転の最初に、既に知られた負荷量検知方法を用いて、洗濯脱水槽２２内の洗濯物の負荷量が検知され、検知された負荷量に応じて水位が決定される。
【００４１】
一時記憶部６７ｃには、実行されるべき運転コースに設定された運転コース、およびその運転コースに関する運転条件が記憶される。コースフラグ６７ｄは、最後に実行された運転コースを保持するフラグである。コースフラグ６７ｄは、各運転コースに対応するビットを有し、これらビットの中から最後に実行された運転コースのビットが立てられる。
【００４２】
第１記憶部６７には、さらに、後述する全自動洗濯機１のメイン制御処理を実行するためのプログラムが記憶される。
【００４３】
第１制御部６６は、電源キー６１、スタートキー６２、受信部６８、水位センサー７１等からの各信号に基づいて、第１記憶部６７に記憶されたプログラムに従い、残時間表示部６３、ドアロック表示部６４、モード表示部６５、駆動モータ３１、給水弁５１、風呂水ポンプ５３、排水弁４２、ドアロック装置７２、ブザー７３等の各負荷を制御する。
【００４４】
受信部６８は、後述するリモートコントローラ１００から送信された無線信号を受信し、受信した無線信号を運転情報（運転コース、運転条件）に変換して第１制御部６６へ出力する。
【００４５】
全自動洗濯機１は、上述した複数の運転コースの中からユーザにより選択された運転コースの洗濯運転を行う。洗濯運転は、洗い工程、中間脱水工程、すすぎ工程、最終脱水工程を含む。
【００４６】
洗い工程およびすすぎ工程では、洗濯脱水槽２２内に水が溜められた状態で、パルセータ２４が右方向および左方向に回転する。パルセータ２４の回転により洗濯脱水槽２２内に水流が発生する。洗い工程では、発生した水流と水に含まれる洗剤とにより洗濯物が洗われる。すすぎ工程では、発生した水流により洗濯物がすすがれる。中間脱水工程および最終脱水工程では、洗濯脱水槽２２およびパルセータ２４が一体となって高速回転する。洗濯脱水槽２２に発生する遠心力の作用により、洗濯物が脱水される。
【００４７】
全自動洗濯機１は、設定操作部であるリモートコントローラ１００を備える。図７（ａ）、（ｂ）および（ｃ）は、それぞれ、リモートコントローラ１００の構成を示す、正面図、右側面図および背面図である。
【００４８】
リモートコントローラ１００は、ケース１１０と、ケース１１０の正面に設けられる設定キー群１２０、送信キー１３０および情報表示部１４０と、ケース１１０の右側面に設けられる確認キー１５０を含む。
【００４９】
ケース１１０は、上ケース１１１と下ケース１１２により構成される。上ケース１１１と下ケース１１２との間には、パッキン１１３が挿入され、これにより、ケース１１０内への水の浸入が防止される。ケース１１０の背面には、磁石１１４が設けられる。全自動洗濯機１の筐体１０の胴体部１１は、磁性体である鋼板により形成される。これにより、図３に示すように、リモートコントローラ１００を、磁石１１４の磁力によって、筐体１０の側面や前面に着脱可能に装着することができる。なお、磁石１１４の磁力は、脱水時の筐体１０の振動により、リモートコントローラ１００が離脱しない強さとすることが望ましい。
【００５０】
設定キー群１２０は、各運転情報の設定を行うための各設定キー、即ち、運転コースの設定を行うためのコースキー１２１と、水量の設定を行うための水量キー１２２と、洗い時間の設定を行うための洗いキー１２３と、すすぎ回数の設定を行うためのすすぎキー１２４と、脱水時間の設定を行うための脱水キー１２５と、風乾燥の乾燥時間の設定を行うための乾燥キー１２６と、予約時間の設定を行うための予約キー１２７と、風呂水給水の有無の設定を行うための風呂水キー１２８により構成される。
【００５１】
送信キー１３０は、設定された運転情報を送信するためのキーである。確認キー１５０は、設定中の運転コースあるいは最後に設定された運転コースの詳細内容を確認するためのキーである。
【００５２】
情報表示部１４０は、たとえば、液晶デイスプレイである。情報表示部１４０には、設定キー群１２０により設定された運転情報が表示される。また、情報表示部１４０には、確認キー１５０の押下に基づき、運転コースの詳細内容が表示される。なお、図７（ａ）では、便宜上、表示される全ての情報が情報表示部１４０に描かれている。
【００５３】
図８は、リモートコントローラ１００の構成を示すブロック図である。ケース１１０内には、第２制御部１６０と、第２記憶部１７０と、送信部１８０が配される。
【００５４】
第２記憶部１７０は、ＥＥＰＲＯＭ、ＲＡＭ等を含む。第２記憶部１７０は、設定候補記憶部１７１と、運転条件記憶部１７２と、送信情報記憶部１７３と、最新情報記憶部１７４を備える。設定候補記憶部１７１、運転条件記憶部１７２および最新情報記憶部１７４は、ＥＥＰＲＯＭに設けられ、送信情報記憶部１７３は、ＲＡＭに設けられる。
【００５５】
図９（ａ）ないし（ｃ）は、設定候補記憶部１７１、送信情報記憶部１７３および最新情報記憶部１７４に記憶される運転情報の一例を示す図である。
【００５６】
設定候補記憶部１７１には、図９（ａ）に示すように、設定キー群１２０による設定の際の設定候補となる運転情報が記憶される。運転条件記憶部１７２には、本体操作部６０の運転条件記憶部６７ｂと同様に、運転コース毎に、水位、洗い時間、すすぎ回数、脱水時間の各運転条件が記憶される（図６参照）。送信情報記憶部１７３には、設定キー群１２０により設定された各運転情報が記憶される。送信情報記憶部１７３に、運転コース、水量、洗い時間、予約時間および風呂水給水に係る運転情報が記憶される例が、図９（ｂ）に示されている。最新情報記憶部１７４には、本体操作部６０に最後に送信された運転情報が記憶される。最新情報記憶部１７４に、予約時間と風呂水給水が追加された標準コースに係る運転情報が記憶される例が、図９（ｃ）に示されている。
【００５７】
送信部１８０は、設定キー群１２０により設定されて送信情報記憶部１７３に記憶された運転情報を無線信号に変換し、変換された無線信号を本体操作部６０の受信部６８へ送信する。無線信号は、赤外線、電波等、如何なる無線信号であってもよい。
【００５８】
ユーザは、洗濯運転を行う場合、電源キー６１を押して、全自動洗濯機１本体に電源を投入する。電源が投入されると、全自動洗濯機１本体では、第１制御部６６により、メイン制御処理が開始される。
【００５９】
図１０および図１１は、メイン制御処理を示すフローチャートである。図１２（ａ）ないし（ｃ）は、運転モードに応じてモード表示部６５が点灯する様子を示す図である。
【００６０】
全自動洗濯機１本体に電源が投入されると、第１制御部６６は、コースフラグ６７ｄを参照することにより、前回の運転コースを確認する（Ｓ１０１）。次に、第１制御部６６は、前回の運転コースの運転プログラムを運転プログラム記憶部６７ａから読み出すとともに、前回の運転コースに関する運転条件を運転条件記憶部６７ｂから読み出し、読み出した運転プログラムおよび運転条件を一時記憶部６７ｃに記憶させる（Ｓ１０２）。そして、第１制御部６６は、図１２（ａ）に示すように、運転モードが、前回の運転コースが継続されているコース継続モードの状態にあることを表す色、たとえば、橙色でモード表示部６５を点灯させる（Ｓ１０３）。
【００６１】
次に、第１制御部６６は、リモートコントローラ１００から運転情報を受信したか否か、スタートキー６２への長押し操作がなされたか否か、およびスタートキー６２への開始操作がなされたか否かを判定する（Ｓ１０４、Ｓ１０５、Ｓ１０６）。第１制御部６６は、スタートキー６２が押され続けた時間が、一定時間（たとえば、６秒）以上の場合、長押し操作がなされたと判定し、一定時間未満の場合、開始操作がなされたと判定する。
【００６２】
ユーザは、前回の運転コースと異なる運転コースの洗濯運転を行う場合、あるいは、前回と運転コースは同じであるが、洗い時間、すすぎ回数などの運転条件を変更して洗濯運転を行う場合、リモートコントローラ１００を用いて、運転情報（運転コース、運転条件）の設定を行い、設定された運転情報を送信する。リモートコントローラ１００による運転情報の設定方法については、追って詳細に説明する。
【００６３】
運転情報が受信された場合（Ｓ１０４：ＹＥＳ）、第１制御部６６は、運転コースの変更があるか否かを判定する（Ｓ１０７）。受信した運転情報に、前回の運転コースと異なる運転コースが含まれている場合、第１制御部６６は、運転コースの変更があると判定する。運転コースの変更がある場合（Ｓ１０７：ＹＥＳ）、第１制御部６６は、新たな運転コースの運転プログラムを運転プログラム記憶部６７ａから読み出すとともに、新たな運転コースに関する運転条件を運転条件記憶部６７ｂから読み出し、読み出した運転プログラムおよび運転条件を一時記憶部６７ｃに記憶させる（Ｓ１０８）。こうして、新たな運転コースが、実行されるべき運転コースに設定される。
【００６４】
次に、第１制御部６６は、運転条件の変更があるか否かを判定する（Ｓ１０９）。受信した運転情報に、一時記憶部６７ｃに記憶された運転条件と異なる運転条件が含まれている場合、第１制御部６６は、運転条件の変更があると判定する。なお、この判定の際に一時記憶部６７ｃに記憶されている運転条件は、運転コースの変更がある場合は、新たな運転コースの運転条件であり、運転コースの変更がなければ、前回の運転コースの運転条件である。運転条件の変更がある場合（Ｓ１０９：ＹＥＳ）、第１制御部６６は、一時記憶部６７ｃ内の運転条件を更新させる（Ｓ１１０）。その後、第１制御部６６は、図１２（ｂ）に示すように、運転モードが、リモートコントローラ１００からの運転情報の受信が完了している受信完了モードの状態にあることを表す色、たとえば、青色でモード表示部６５を点灯させる（Ｓ１１１）。
【００６５】
ユーザが、リモートコントローラ１００を、全自動洗濯機１本体の設置場所から離れた場所に持ち出すことが考えられる。このような場合、洗濯運転を行うときに、ユーザの手元にリモートコントローラ１００がないことも起こり得る。本実施の形態では、前回の運転コースが標準コース以外の運転コースである場合に、ユーザは、リモートコントローラ１００が手元になくとも、本体操作部６０のスタートキー６２を用いて、標準コースへ変更できる。
【００６６】
標準コースへ変更する場合、ユーザは、スタートキー６２への長押し操作を行う。第１制御部６６は、長押し操作が行われたと判定すると（Ｓ１０５：ＹＥＳ）、標準コースの運転プログラムを運転プログラム記憶部６７ａから読み出すとともに、標準コースに関する運転条件を運転条件記憶部６７ｂから読み出し、読み出した運転プログラムおよび運転条件を一時記憶部６７ｃに記憶させる（Ｓ１１２）。こうして、標準コースが、実行されるべき運転コースに設定される。その後、第１制御部６６は、図１２（ｃ）に示すように、運転モードが、長押し操作に基づく標準コースが設定されている標準コース設定モードの状態にあることを表す色、たとえば、赤色でモード表示部６５を点灯させる（Ｓ１１３）。
【００６７】
ユーザは、運転コースや運転条件を変更することなく、あるいは、所望の運転コースや運転条件に変更した後に、スタートキー６２への開始操作を行う。第１制御部６６は、スタートキー６２への開始操作が行われたと判定すると（１０６：ＹＥＳ）、モード表示部６５を消灯させる（Ｓ１１４）。そして、第１制御部６６は、一時記憶部６７ｃ内に記憶された運転プログラムおよび運転条件に従って洗濯運転を実行する（Ｓ１１５）。
【００６８】
リモートコントローラ１００により水量、洗い時間、すすぎ回数および脱水時間が設定された場合には、設定された水量、洗い時間、すすぎ回数および脱水時間により、洗い工程、すすぎ工程および脱水工程が行われる。また、リモートコントローラ１００により、風乾燥の乾燥時間が設定された場合には、最終脱水工程の後に風乾燥工程が追加される。風乾燥工程では、洗濯脱水槽２２が高速回転することにより、遠心力が発生するとともに上蓋１５に設けられた通風口（図示なし）から洗濯脱水槽２２内に風が取り込まれ、遠心力と風の作用により洗濯物が乾燥する。さらに、リモートコントローラ１００により、予約時間が設定された場合、予約時間に洗濯運転が終了するように洗濯運転が開始される。さらに、リモートコントローラ１００により、風呂水給水有の設定が行われると、洗い工程時に、水道水に代えて風呂水が洗濯脱水槽２２内に供給される。なお、洗い時間、すすぎ回数および脱水時間に関し、「なし」の設定がなされた場合は、「なし」に設定された工程が実行されなくなる。何れかの運転コースにおいて、風乾燥の乾燥時間、予約時間、風呂水給水有の設定が行われている場合に、これらに関して「なし」の設定がなされると、設定が解除される。
【００６９】
洗濯運転が終了すると、第１制御部６６は、実行された運転コースが前回の運転コースから変更されたものであれば（Ｓ１１６：ＹＥＳ）、新たな運転コースを保持するようにコースフラグ６７ｄを更新させる（Ｓ１１７）。さらに、実行された運転コースが自分流コースであり、且つ運転条件が変更されている場合（Ｓ１１８：ＹＥＳ→Ｓ１１９：ＹＥＳ）、第１制御部６６は、運転条件記憶部６７ｂに記憶された自分流コースの運転条件を更新させる（Ｓ１２０）。その後、第１制御部６６は、全自動洗濯機１本体への電源を切断し（Ｓ１２１）、メイン制御処理を終了する。
【００７０】
次に、リモートコントローラ１００による運転情報の設定方法について説明する。
【００７１】
リモートコントローラ１００では、第２制御部１６０により、運転情報を設定して本体操作部６０へ送信するための設定送信処理が実行される。
【００７２】
図１３および図１４は、設定送信処理を示すフローチャートである。図１５（ａ）ないし（ｉ）は、設定された運転情報が情報表示部１４０に表示される様子を示す図である。図１６（ａ）は、運転条件の設定ができないことを表すメッセージが表示された情報表示部１４０を示す図である。図１６（ｂ）は、送信マークが表示された情報表示部１４０を示す図である。
【００７３】
第２制御部１６０は、設定キー群１２０の何れかの設定キーが押されたか否かを監視する（Ｓ２０１）。何れかの設定キーが押されると（Ｓ２０１：ＹＥＳ）、第２制御部１６０は、押された設定キーがコースキー１２１であるか否かを判定する（Ｓ２０２）。
【００７４】
ユーザは、運転コースの設定を行う場合、コースキー１２１を押す。コースキー１２１が押された場合（Ｓ２０２：ＹＥＳ）、第２制御部１６０は、このコースキー１２１への押下が最初の押下であれば（Ｓ２０３：ＹＥＳ）、先に送信情報記憶部１７３に運転条件が記憶されているか否かを判定する（Ｓ２０４）。
【００７５】
新たに運転コースが設定された場合、以前の運転コースの運転条件は使用でいない。よって、送信情報記憶部１７３に運転条件が記憶されている場合（Ｓ２０４：ＹＥＳ）、第２制御部１６０は、記憶された運転条件を削除する（Ｓ２０５）。そして、第２制御部１６０は、予め定められた表示順位における最初の運転コースを情報表示部１４０に表示させる（Ｓ２０６）。たとえば、標準コースの場合、図１３（ａ）に示すように、情報表示部１４０における運転コースの表示領域に、「標準」の文字が表示される。さらに、第２制御部１６０は、最初の運転コースを、送信情報記憶部１７３に記憶させる（Ｓ２０７）。
【００７６】
ユーザは、最初に表示された運転コースが所望の運転コースでない場合、さらに、コースキー１２１を押す。コースキー１２１の押下が最初の押下でない場合（Ｓ２０３：ＮＯ）、第２制御部１６０は、表示順位における次の運転コースを情報表示部１４０に表示させる（Ｓ２０８）。図１５（ａ）に示すように、コースキー１２１が押される度に、表示順位の従って、情報表示部１４０における運転コースの表示が切り替わる。その後、第２制御部１６０は、次の運転コースを、先に記憶されていた運転コースに代えて送信情報記憶部１７３に記憶させる（Ｓ２０９）。こうして、送信情報記憶部１７３には、最終的にユーザに選ばれた運転コースが記憶される。
【００７７】
ユーザは、前回の運転コースのまま運転条件だけを変更または追加する場合、あるいは、新たな運転コースを設定した後、その運転コースに関する運転条件を変更または追加する場合、変更または追加したい運転条件に対応する設定キーを押す。
【００７８】
設定キー群１２０の何れかの設定キーが押され、押された設定キーがコースキー１２１でない場合（Ｓ２０１：ＹＥＳ→Ｓ２０２：ＮＯ）、第２制御部１６０は、押された設定キーによる運転条件の設定が可能であるか否かを判定する（Ｓ２１０）。
【００７９】
本実施の形態では、標準コース、自分流コースおよびいそぎコースにおいて、水量、洗い時間、すすぎ回数、脱水時間、風乾燥の乾燥時間、予約時間および風呂水給水の有無の全ての運転条件の設定を行うことができる。また、ドライコースおよび毛布コースにでは、水量、洗い時間、すすぎ回数、脱水時間および風乾燥の乾燥時間の設定を行うことができないが、予約時間および風呂水給水の有無の設定を行うことができる。槽洗浄コースでは、何れの運転条件も設定することができない。
【００８０】
第２制御部１６０は、運転条件に先立って運転コースの設定が行われている場合、送信情報記憶部１７３に記憶された運転コースにより設定の可否を判断する。一方、第２制御部１６０は、運転コースの設定が行われていない場合、最新情報記憶部１７４に記憶された運転コースにより設定の可否を判断する。
【００８１】
押された設定キーによる運転条件の設定が可能である場合（Ｓ２１０：ＹＥＳ）、第２制御部１６０は、その設定キーの押下が最初の押下であれば（Ｓ２１１：ＹＥＳ）、予め定められた表示順位における、押された設定キーに対応する最初の運転条件を情報表示部１４０に表示させるとともに（Ｓ２１２）、最初の運転条件を送信情報記憶部１７３に記憶させる（Ｓ２１３）。一方、設定キーの押下が最初の押下でなければ（Ｓ２１１：ＮＯ）、第２制御部１６０は、表示順位における、押された設定キーに対応する次の運転条件を情報表示部１４０に表示させるとともに（Ｓ２１４）、次の運転条件を送信情報記憶部１７３に記憶させる（Ｓ２１５）。送信情報記憶部１７３には、ユーザにより最終的に選ばれた運転条件が記憶される。
【００８２】
水量キー１２２が押された場合、図１５（ｂ）に示すように、最初の水量、たとえば、「１５Ｌ」が情報表示部１４０に表示され、その後、水量キー１２２が押される度に、水量の表示が切り替わる。洗いキー１２３が押された場合、図１５（ｃ）に示すように、最初の洗い時間、たとえば、「５分」が情報表示部１４０に表示され、その後、洗いキー１２３が押される度に、洗い時間の表示が切り替わる。すすぎキー１２４が押された場合、図１５（ｄ）に示すように、最初のすすぎ回数、たとえば、「１回」が情報表示部１４０に表示され、その後、すすぎキー１２４が押される度に、すすぎ回数の表示が切り替わる。脱水キー１２５が押された場合、図１５（ｅ）に示すように、最初の脱水時間、たとえば、「０．５分」が情報表示部１４０に表示され、その後、脱水キー１２５が押される度に、脱水時間の表示が切り替わる。乾燥キー１２６が押された場合、図１５（ｆ）に示すように、最初の乾燥時間、たとえば、「０．５時間」が情報表示部１４０に表示され、その後、乾燥キー１２６が押される度に、乾燥時間の表示が切り替わる。予約キー１２７が押された場合、図１５（ｇ）に示すように、最初の予約時間、たとえば、「１時間」が情報表示部１４０に表示され、その後、予約キー１２７が押される度に、予約時間の表示が切り替わる。風呂水キー１２８が押された場合、図１５（ｈ）に示すように、情報表示部１４０の下部の表示領域に風呂水給水有の設定が行われたことを示す「風呂水」の文字が表示され、次に、風呂水キー１２８が押されると、「風呂水」の文字が消去される。なお、水量キー１２２、洗いキー１２３、すすぎキー１２４、脱水キー１２５、乾燥キー１２６および予約キー１２７により、「なし」の設定が行われた場合、情報表示部１４０には、横向きのバー（「−」）が表示される。また、情報表示部１４０には、各設定キーの押下に応じて、各運転条件の数値の上に、「洗い」、「すすぎ」等、各運転条件を表す文字が表示される。予約の場合は、図１５（ｇ）に示すように、情報表示部１４０の下部の表示領域にも、予約の設定があることを示す「予約」の文字が表示される。さらに、運転条件の設定に先立って運転コースが設定されている場合には、図１５（ｉ）に示すように、情報表示部１４０における運転コースの表示領域に運転コースが表示される。
【００８３】
なお、第２制御部１６０は、ステップＳ２１０において、押された設定キーによる運転条件の設定が可能でないと判定した場合（Ｓ２１０：ＮＯ）、図１６（ａ）に示すように、運転条件が設定できない旨のメッセージを情報表示部１４０に表示させる（Ｓ２１６）。
【００８４】
第２制御部１６０は、設定キーが押されたか否かの監視とともに、送信キー１３０が押されたか否かを監視する（Ｓ２１７）。
【００８５】
ユーザは、設定キー群１２０による運転情報の設定が完了すると、送信キー１３０を押す。送信キー１３０が押された場合（Ｓ２１７：ＹＥＳ）、第２制御部１６０は、送信情報記憶部１７３に記憶された運転情報に運転コースが含まれているか否かを判定する（Ｓ２１８）。運転コースが含まれていなければ（Ｓ２１８：ＮＯ）、第２制御部１６０は、最新情報記憶部１７４から運転コースを読み出し、読み出した運転コースを送信される運転情報に追加する（Ｓ２１９）。これにより、読み出された運転コースが送信情報記憶部１７３に記憶される。第２制御部１６０は、送信情報記憶部１７３内の運転情報を送信部１８０へ出力し、送信部１８０に運転情報を送信させる（Ｓ２２０）。送信の際、第２制御部１６０は、図１６（ｂ）に示すように、送信マークを情報表示部１４０に表示させる（Ｓ２２１）。
【００８６】
リモートコントローラ１００において、運転コースが設定されず、洗い時間等、運転条件だけが設定される場合は、最後に送信された運転コースが前提とされ、その運転コースに関する運転条件が設定されることとなる。一方、上述のように、本体操作部６０では、スタートキー６２の長押し操作により標準コースが設定される場合がある。この場合、リモートコントローラ１００に記憶された運転コースと本体操作部６０に記憶された運転コースが一致しなくなる。このような場合に、リモートコントローラ１００から運転条件だけが送信されると、リモートコントローラ１００に記憶された運転コースとは異なる標準コースに、送信された運転条件が適用されてしまい、ユーザの意図する洗濯運転ができない虞がある。本実施の形態では、上記ステップＳ２２１の処理により、ユーザによって運転条件のみが設定されても、リモートコントローラ１００に記憶された運転コースが送信されるので、本体操作部６０では、リモートコントローラ１００側の運転コースと一致するよう運転コースが変更される。よって、ユーザが意図する洗濯運転を行うことができる。
【００８７】
設定された運転情報が送信されると、第２制御部１６０は、送信した運転情報により、最新情報記憶部１７４内の運転情報を更新させる（Ｓ２２２）。リモートコントローラ１００には、全自動洗濯機１で今回実行される運転コースおよびその運転コースに関する運転条件が記憶されることとなる。また、第２制御部１６０は、送信した運転情報が自分流コースに関する運転条件であれば（Ｓ２２３：ＹＥＳ）、送信した運転情報により、運転条件記憶部１７２内の自分流コースに関する運転条件を更新させる（Ｓ２２４）。
【００８８】
その後、第２制御部１６０は、送信情報記憶部１７３内の運転情報を削除する（Ｓ２２５）。そして、第２制御部１６０は、情報表示部１４０を消灯させ（Ｓ２２６）、設定送信処理を終了する。なお、図１３および図１４のフローチャートには示されていないが、第２制御部１６０は、一度、設定キー群１２０等の何れかのキーの操作がなされた後、キー操作のない状態が一定時間継続すると、情報表示部１４０を消灯させ、設定送信処理を終了する。
【００８９】
このようにして、ユーザは、リモートコントローラ１００において、運転コース、運転条件等の運転情報を設定し、設定された運転情報を一方向の無線通信により全自動洗濯機１本体の本体操作部６０へ送ることができる。
【００９０】
ユーザは、確認キー１５０の操作によりリモートコントローラ１００により設定中の、あるいは最後に設定された運転コースの詳細内容を確認することができる。
【００９１】
運転コースの詳細内容を情報表示部１４０に表示するための運転情報表示処理が、第２制御部１６０により実行される。
【００９２】
図１７は、運転情報表示処理を示すフローチャートである。図１８は、運転コースの詳細内容が情報表示部１４０に表示されるときの表示形態の一例を示す図である。
【００９３】
第２制御部１６０は、確認キー１５０が押されたか否かを監視する（Ｓ３０１）。確認キー１５０が押されると（Ｓ３０１：ＹＥＳ）、第２制御部１６０は、運転情報が設定されている最中であるか否かを判定する（Ｓ３０２）。運転情報が設定されている最中でなければ（Ｓ３０２：ＮＯ）、第２制御部１６０は、最新情報記憶部１７４から運転情報を読み出す（Ｓ３０３）。一方、運転情報が設定されている最中である場合（Ｓ３０２：ＹＥＳ）、第２制御部１６０は、既に設定済みの運転情報を送信情報記憶部１７３から読み出すとともに（Ｓ３０４）、設定済みの運転情報以外の運転情報を最新情報記憶部１７４から読み出す（Ｓ３０５）。
【００９４】
第２制御部１６０は、読み出した運転情報、即ち運転コースおよび運転条件を情報表示部１４０に表示させる（Ｓ３０６）。図１８に示すように、情報表示部１４０には、運転コースが表示される。また、情報表示部１４０には、その運転コースに関する水量、洗い時間、すすぎ回数、脱水時間が順番に表示され、風乾燥および予約の設定がある場合は、乾燥時間、予約時間が順番に表示される。さらに、予約の設定および風呂水給水有の設定がある場合、情報表示部１４０には、予約および風呂水給水有の設定を示す「予約」および「風呂水」の文字が表示される。さらに、情報表示部１４０には、リモートコントローラ１００のモードが、運転コースの詳細内容を表示するモードの状態にあることを示す「確認」の文字が表示される。なお、水量、洗い時間、すすぎ回数、脱水時間、乾燥時間および予約時間の表示は、確認キー１５０が押される度に切り替えられてもよいし、一定時間が経過する度に切り替えられてもよい。
【００９５】
以上、本実施の形態の構成について説明したが、本実施の形態による作用効果は次の通りである。
【００９６】
本実施の形態によれば、リモートコントローラ１００と本体操作部６０との間の無線通信の通信方式として、一方向の通信方式が用いられているので、通信のための構成を単純なものとすることができ、また、コストおよび電力消費を小さくすることができる。
【００９７】
さらに、本実施の形態によれば、リモートコントローラ１００で設定された運転情報が受信部６８に受信されると、モード表示部６５が、洗濯運転が開始されるまで、運転情報の受信に対応する色で点灯する。これにより、上記のように一方向の通信方式が用いられた場合にも、ユーザは、洗濯運転を開始する操作を行う際に、運転情報が受信部６８に受け付けられたことを確認できる。そして、ユーザは、運転情報が受け付けられていないときには、運転情報の再設定を行った上で洗濯運転を開始できる。よって、ユーザが所望しない洗濯運転が行われてしまうことを防止できる。
【００９８】
また、本実施の形態によれば、ユーザは、スタートキー６２の長押し操作を行うことにより、リモートコントローラ１００が手元になくとも、全自動洗濯機１本体において、最も使用頻度が高い標準コースの設定を行うことができる。よって、ユーザの使い勝手を良くすることができる。しかも、長押し操作に基づいて運転コースが標準コースに設定されると、それに対応する色でモード表示部６５が点灯する。これにより、ユーザは、長押し操作が受け付けられて、運転コースが標準コースに設定されたことを確認できる。
【００９９】
さらに、本実施の形態によれば、ユーザは、確認キー１５０を操作することにより、リモートコントローラ１００で設定中のあるいは最後に設定された運転コースの詳細内容を確認することができる。
【０１００】
さらに、本実施の形態によれば、リモートコントローラ１００に磁石１１４が設けられ、筐体１０の胴体部１１が磁性体により形成される。このため、ユーザは、リモートコントローラ１００を容易に全自動洗濯機１本体に装着することができる。
【０１０１】
さらに、本実施の形態によれば、投入口１４の前部が洗濯脱水槽２２の開口部２２ｂより大きいので、ユーザは、全自動洗濯機１の前方からの洗濯脱水槽２２への洗濯物の出し入れが行いやすくなる。さらに、本体表示部ＤＰが上面板１２の中で広いスペースを有する角部に設けられるので、本体表示部ＤＰを大きくすることが可能となる。
【０１０２】
以上、本発明の実施の形態について説明したが、本発明は、上記実施の形態等によって何ら制限されるものではなく、また、本発明の実施の形態も、上記以外に種々の変更が可能である。
【０１０３】
たとえば、上記実施の形態では、モード表示部６５の色を異ならせることにより、コース継続モード、受信完了モードおよび標準コース設定モードの各運転モードの報知が行われる。しかしながら、図１９（ａ）に示すように、本体操作部６０にモード表示部６５が設けられず、運転モードに応じて、残時間表示部６３に色の異なるバー表示が行われてもよい。また、図１９（ｂ）に示すように、残時間表示部６３において、運転モードに応じて、点灯する７セグメントＬＥＤの位置が変えられるようにしてもよい。即ち、各運転モードに対応する表示形態は、如何なるものであってもよい。図１９（ｂ）の構成の場合、さらに、上面板１２の右前角部には、各７セグメントＬＥＤの下の位置に、対応する各運転モードの名称や略称が印刷されてもよい。
【０１０４】
さらに、上記実施の形態において、運転モードが、コース継続モードの場合、即ち、受信完了モードまたは標準コース設定モードに変更される前は、モード表示部６５や残時間表示部６３が点灯されないような構成とされてもよい。
【０１０５】
さらに、上記実施の形態では、受信完了モードを表す表示、即ち、運転情報の受信に対応する表示が、洗濯運転が開始されたことに基づき、開始直後に終了する。しかしながら、運転情報の受信に対応する表示が、洗濯運転開始から一定時間が経過した時点、あるいは、洗濯運転が終了した時点で終了してもよい。また、運転情報の受信から一定時間がカウントされ、一定時間が経過したときに運転情報の受信に対応する表示が終了してもよい。この場合、スタートキー６２が押される前に一定時間が経過すると、洗濯運転が開示される前に運転情報の受信に対応する表示が終了する。一定時間が経過する前にスタートキー６２が押された場合は、その時点で表示が終了してもよいし、一定時間の経過まで表示が継続してもよい。
【０１０６】
さらに、上記実施の形態では、スタートキー６２の長押し操作により、標準コースが設定されるが、開始操作とは異なる他の操作、たとえば、決められた時間内に、決められた２回以上の回数だけスタートキー６２が押される操作により標準コースが設定されてもよい。
【０１０７】
さらに、上記実施の形態では、スタートキー６２が本体操作部６０に設けられるが、スタートキー６２が、リモートコントローラ１００、即ち、設定操作部に設けられてもよい。この場合、スタートキー６２の長押し操作に基づく標準コースの設定は行われず、図１０に示すメイン制御処理からステップＳ１０５、Ｓ１１２、Ｓ１１３の処理が消去される。
【０１０８】
さらに、上記実施の形態では、設定操作部がリモートコントローラ１００により構成される。しかしながら、設定操作部は、第１表示部である本体表示部ＤＰと離れていれば良く、上面板１２とは別の部材、たとえば、胴体部１１の前面などに設けられてもよい。
【０１０９】
さらに、上記実施の形態では、第１制御部６６、第１記憶部６７および受信部６８が、上面板１２に設けられた本体操作部６０に含まれる。しかしながら、第１制御部６６、第１記憶部６７および受信部６８は、必ずしも本体操作部６０に含まれなくともよい。たとえば、第１制御部６６、第１記憶部６７および受信部６８が、全自動洗濯機１本体における上面板１２以外の部位に設けられてもよい。
【０１１０】
上記実施の形態の全自動洗濯機１は、ヒーターによる乾燥機能を備えていないが、本発明は、ヒーターによる乾燥機能を備えた全自動洗濯機に適用することもできる。さらに、本発明は、ドラム式洗濯機に適用することができる。
【０１１１】
この他、本発明の実施の形態は、特許請求の範囲に示された技術的思想の範囲内において、適宜、種々の変更が可能である。
【符号の説明】
【０１１２】
１０  筐体
１１  胴体部（筺体の一部）
１２  上面板
１４  投入口
２２  洗濯脱水槽（洗濯槽）
２２ａ  開口部
６２  スタートキー
ＤＰ  本体表示部（第１表示部）
６３  残時間表示部
６５  モード表示部
６６  第１制御部
６８  受信部
１００  リモートコントローラ（設定操作部）
１１４  磁石
１２０  設定キー群
１４０  情報表示部（第２表示部）
１５０  確認キー
１６０  第２制御部
１７０  第２記憶部（運転情報記憶部）
１８０  送信部
【図１】
2015136373.tif 000003
【図２】
2015136373.tif 000004
【図３】
2015136373.tif 000005
【図４】
2015136373.tif 000006
【図５】
2015136373.tif 000007
【図６】
2015136373.tif 000008
【図７】
2015136373.tif 000009
【図８】
2015136373.tif 000010
【図９】
2015136373.tif 000011
【図１０】
2015136373.tif 000012
【図１１】
2015136373.tif 000013
【図１２】
2015136373.tif 000014
【図１３】
2015136373.tif 000015
【図１４】
2015136373.tif 000016
【図１５】
2015136373.tif 000017
【図１６】
2015136373.tif 000018
【図１７】
2015136373.tif 000019
【図１８】
2015136373.tif 000020
【図１９】
2015136373.tif 000021